(57)【要約】【課題】  従来のスタンド付電子機器では、バックカバーを取り外さないと、スタンドを取り外すことができず、スタンドを取り外すまでには、バックカバーを固定している多くの固定ねじを取り外す必要があった。【解決手段】  テレビ本体２と、そのテレビ本体２の背面を覆うバックカバー３と、テレビ本体２を支持するスタンド４と、を備えて構成される。スタンド４は、テレビ本体２を支持するための支持プレート２２を有し、テレビ本体２には、支持プレート２２に嵌合される嵌合部材３５を設けた。【選択図】  図８
2007074569.tif 000002
【特許請求の範囲】
【請求項１】
電子機器本体と、
前記電子機器本体の背面を覆うバックカバーと、
前記電子機器本体を支持するスタンドと、を備え、
前記スタンドは、前記電子機器本体を支持するための支持プレートを有し、
前記電子機器本体には、前記支持プレートに嵌合される嵌合部材を設けたことを特徴とするスタンド付電子機器。
【請求項２】
前記嵌合部材は、前記電子機器本体に設けられた取付部材に固定される本体側ブラケットと、
前記本体側ブラケットに固定されて当該本体側ブラケットと前記支持プレートとの間に介在されて前記バックカバーに設けた切欠き部を閉塞する遮蔽カバーと、を有することを特徴とする請求項１記載のスタンド付電子機器。
【請求項３】
前記遮蔽カバーは、前記バックカバーと協働して前記支持プレートを嵌合するための嵌合空間部を形成することを特徴とする請求項２記載のスタンド付電子機器。
【請求項４】
前記バックカバーには、前記支持プレートを前記本体側ブラケットに固定する固定ねじを回すための逃げ穴を設けたことを特徴とする請求項１記載のスタンド付電子機器。
【発明の詳細な説明】
【技術分野】
【０００１】
本発明は、フラット表示パネルを備えた表示装置、１又は２以上のスピーカを備えたスピーカ装置その他の電子機器をスタンドで支持するようにしたスタンド付電子機器に関するものである。
【背景技術】
【０００２】
従来の、この種のスタンド付電子機器としては、例えば、特許文献１に記載されているようなものがある。特許文献１には、液晶パネルやプラズマパネル等のフラット表示パネルを備えた表示装置に関するものが記載されている。この特許文献１に記載された表示装置は、「フラット表示パネルを備えた表示装置において、前記フラット表示パネルは、フロントケースとこのフロントケースに跨設されたパネル保持手段とによって挟装されている」ことを特徴としている。
【０００３】
このような構成を有する特許文献１に記載の表示装置によれば、「フラット表示パネルをこれ自身が備えている指定の取り付け部を使うことなくフロントカバーの側に固定することができるため、液晶パネルをその取り付け部を利用してフロントカバーにねじ止めするための厚さ方向に長いねじを受ける構造が必要なく、したがってフロントカバーを薄型化することができる（明細書の段落［００２１］）。」等の効果が期待される。
【特許文献１】特開２００３−１５００７６号公報
【０００４】
しかしながら、上述したような従来のフラット表示パネルを備えた表示装置においては、液晶パネルは、フロントカバーと中央ステー、左ステー及び右ステーとによって挟持されることでフロントカバーに固定されている。中央ステーは、リアカバー及びスタンド部分を固定する機能を有しており、その中央ステーにねじ止めすることによってリアカバーがフロントカバーに固定されている。また、スタンド部分は、ベース部に揺動可能に設けられたアーム部を有しており、そのアーム部の先端に、図示しない取付手段で取り付けた円盤状のカバー体、即ち、リアカバーの一部を中央ステーにねじ止めすることで、表示部分がスタンド部分に支持されている。
【０００５】
このような構成を有する特許文献１のフラット表示パネルを備えた表示装置においては、スタンド部分のアーム部の先端にリアカバーが固定されており、そのリアカバーに、液晶パネルが固定されたフロントカバーが固定されている。これにより、リアカバー（バックカバー）を取り外した後でなければ、スタンドを取り外すことができなかった。
【０００６】
その結果、例えば、スタンド付電子機器のスタンドを取り外して壁に掛けて使用したい場合には、バックカバーを取り外さないと、スタンドを取り外すことができなかった。そのため、スタンドを取り外すまでには、バックカバーを固定している多くの固定ねじを取り外す必要があり、作業性が悪いという課題があった。
【発明の開示】
【発明が解決しようとする課題】
【０００７】
解決しようとする問題点は、従来のスタンド付電子機器では、バックカバーを取り外さないと、スタンドを取り外すことができず、スタンドを取り外すまでには、バックカバーを固定している多くの固定ねじを取り外す必要がある、という点である。
【課題を解決するための手段】
【０００８】
本発明のスタンド付電子機器は、電子機器本体と、その電子機器本体の背面を覆うバックカバーと、電子機器本体を支持するスタンドと、を備え、スタンドは、電子機器本体を支持するための支持プレートを有し、電子機器本体には、支持プレートに嵌合される嵌合部材を設けたことを最も主要な特徴とする。
【発明の効果】
【０００９】
本発明のスタンド付電子機器によれば、バックカバーを取り外すことなくスタンドの取り付け・取り外しを行うことができると共に、電子機器本体にスタンドが取り付けられているか否かに係わりなく、電子機器本体に対するバックカバーの取り付け・取り外し作業を行うことができる。
【発明を実施するための最良の形態】
【００１０】
バックカバーを取り外すことなくスタンドの取り付け・取り外しを行うことができると共に、スタンドを付けたままでバックカバーの取り付け・取り外しを行うこともできるスタンド付電子機器を、簡単な構成によって実現した。
【００１１】
以下、本発明の実施の形態を、添付図面を参照して説明する。図１〜図１０は、本発明の実施の形態の例を説明するものである。即ち、図１は本発明のスタンド付電子機器の一実施例を正面側から見た斜視図、図２は同じく背面側から見た斜視図、図３は電子機器本体からスタンドを取り外した背面側の斜視図、図４は電子機器本体からバックカバーを取り外した背面側の斜視図、図５は取付プレートに嵌合部材を取り付けたスタンドの斜視図、図６は嵌合部材を取付プレートから分離した説明図、図７はスタンドの一部を断面した説明図、図８は取付プレートと嵌合部材とバックプレートの要部を示す説明図、図９は電子機器本体のフレームに本体側フレームを取り付けた説明図、図１０はバックプレートと嵌合部材で係合スペース部を形成した説明図である。
【００１２】
図１〜図１０には、本発明のスタンド付電子機器の第１の実施の例としてプラズマディスプレイテレビ１を示している。このプラズマディスプレイテレビ１は、テレビジョン受像機として画像を表示するものであり、いわゆる薄型の画像表示装置である。しかしながら、この発明に係るスタンド付電子機器としては、この実施例のプラズマディスプレイテレビ１に限定されるものではなく、液晶ディスプレイテレビ、プロジェクタその他の画像を表示可能な表示装置は勿論のこと、例えば、１又は２以上のスピーカを筐体内に収納してスタンドで支持したスピーカ装置等のようにスタンドを用いて電子機器本体を支持する各種の電子機器に適用できるものである。
【００１３】
このプラズマディスプレイテレビ１は、図１〜図４に示すように、電子機器本体の一具体例を示すテレビ本体２と、このテレビ本体２の背面を覆うバックカバー３と、テレビ本体２を下方から支えて支持するスタンド４と、を備えて構成されている。テレビ本体２は、プラズマディスプレイ組立体５と、このプラズマディスプレイ組立体５の前面側に取り付けられるフィルタガラス６と、このフィルタガラス６の四辺を囲うフロントカバー７と、プラズマディスプレイ組立体５の背面側を覆うように取り付けられるシールドカバー８と、を備えている。
【００１４】
プラズマディスプレイ組立体５は、発光デバイスであるプラズマディスプレイと、電源基板やその他の回路基板を有する駆動回路と、これらを支持するベースプレート等からなり、そのベースプレートにプラズマディスプレイ及び駆動回路が組み立てられて一体的に構成されている。プラズマディスプレイは、その発光原理から放射性電磁波が放射される（電磁波妨害）ことがあるため、それをシールドカバー８等で電磁シールドして、外部へ漏らさないようにしている。プラズマディスプレイは横長の長方形をなしており、その前面に略同様の大きさを有する長方形のフィルタガラス６が配置されている。
【００１５】
フィルタガラス６には、その内面に導電性の電磁シールド部が設けられている。この電磁シールド部は、プラズマディスプレイや駆動回路から放射される電磁波をシールドして、不要な電磁波が外面側に漏洩するのを防止している。電磁シールド部としては、例えば、透明な導電膜或いは金属メッシュ部材を用いることができる。このフィルタガラス６が、プラズマディスプレイ組立体５の前面に貼り付けるように取り付けられている。また、フィルタガラス６の前面側の周囲は、全体が長方形の枠体をなすフロントカバー７によって囲われている。このフロントカバー７がプラズマディスプレイ組立体５の取付部材の一具体例を示すベースプレート１１に着脱可能にねじ止めされている。
【００１６】
プラズマディスプレイ組立体５の背面に配置されたシールドカバー８は、同じくベースプレート１１に着脱可能にねじ止めされている。このシールドカバー８の背面に、上下方向に延在された２本のフレーム９，９が配置されている。２本のフレーム９，９は、略中央部において左右方向へ適当な間隔をあけて横並びに平行に配置されている。この２本のフレーム９，９は、テレビ本体２に所定の強度を付与する背骨のようなものであり、その上端部９ａはベースプレート１１の上部ステー１１ａにねじ止めされ、また、下端部９ｂはベースプレート１１の下部ステー１１ｂにねじ止めされている。
【００１７】
この２本のフレーム９，９の後方にバックカバー３が配置され、そのバックカバー３がベースプレート１１を介してテレビ本体２に対し、複数個の固定ねじからなる固着手段によって着脱可能に取り付けられている。バックカバー３は、テレビ本体２の背面を完全に覆い隠すことができる大きさを有するカバー部材からなり、その中央下部には、コネクタや接続端子の各接続部が露出される第１の凹部１２が設けられている。更に、バックカバー３の凹部１２より下側の２箇所には、左右方向に所定の間隔をあけて第２の凹部１３，１３が設けられている。そして、図８に示すように、バックカバー３の下辺であって、２つの凹部１３，１３と対応する部分には、後述する嵌合部材３５によって閉塞される切欠き部１６が設けられている。
【００１８】
また、２つの第２の凹部１３，１３には、スタンド４を後述する嵌合部材に固定ねじでねじ止めしたり、そのねじを取り外すことを可能とするための逃げ穴１４が、そのねじの数だけ設けられている。この実施例では、２つの第２の凹部１３には、それぞれ２個ずつ合計４個の逃げ穴１４が設けられている。この逃げ穴１４の直径は、支持プレート２２を嵌合部材３５に固定するために使用される固定ねじの頭部の直径よりも大きく形成する。
【００１９】
この４個の逃げ穴１４を有する２つの第２の凹部１３，１３と、その周囲の面部によって、バックプレート側の嵌合受部１５が構成される。そして、嵌合受部１５と嵌合部材３５とによって、スタンド４の支持プレート２２が着脱可能に嵌合される嵌合空間部が構成される。バックカバー３の材質としては、例えば、絶縁性に優れた適当な強度を有するエンジニアリングプラスチックが好適であるが、これに限定されるものではなく、鋼板等の金属材料を用いることができることは勿論である。また、フレーム９の材質としては、十分に大きな強度を発揮できる強度の大きな金属材料、例えば、鋼材等によって形成することが好ましい。
【００２０】
スタンド４は、図５〜図８に示すように、床等の載置面に載置されるベース部材２１と、このベース部材２１の上面に設けられた支持プレート２２等から構成されている。ベース部材２１は、略楕円形をした皿状の部材からなり、その上面の略中央部には、上方に突出するボス部２１ａが設けられている。このボス部２１ａに、支持プレート２２が水平方向へ回動可能であって、前後方向へも回動可能とされた支持プレート２２が取り付けられている。
【００２１】
支持プレート２２は、水平方向に延在された長尺状の板体からなる嵌合部２３と、この嵌合部２３を前後方向へ回動可能に支持する軸受部２４と、この軸受部２４を水平方向へ回動可能に支持する支持部２５等を有している。嵌合部２３は、一面側に突出する２つの互いに平行とされた支持片２３ａ，２３ａを有しており、一対の支持片２３ａ，２３ａは水平方向へ所定間隔あけて設けられている。嵌合部２３の長手方向の両側には、支持プレート２２をテレビ本体２に固定される本体側ブラケット３６にねじ止めするための固定ねじ２９の軸部が挿通される挿通孔２３ｂがそれぞれ２つずつ設けられている。
【００２２】
この嵌合部２３の一対の支持片２３ａ，２３ａの両外側に、一対の軸受片２４ａ，２４ａが互いに対向するように配置されている。一対の軸受片２４ａ，２４ａは、軸受部２４の両端に設けられている。互いに対向するように設置された支持片２３ａと軸受片２４ａには、それぞれ軸ピン２６が貫通されている。２つの軸ピン２６は、互いの軸心線を一致させるように設けられており、これにより、２つの軸ピン２６を回動中心として嵌合部２３が軸受部２４に対して前後方向へ回動可能に支持されている。
【００２３】
図７に示すように、支持プレート２２の軸受部２４の長手方向の中間部には、その下縁に連続されると共にＬ字状に折り曲げられて一端が下方に延在された固定片２４ｂが設けられている。固定片２４ｂの水平方向に延在された水平部には貫通穴２７が設けられている。この固定片２４ｂの貫通穴２７には、軸心線を上下方向に延在させた支持軸２８が貫通されている。支持軸２８は、スタンド２１のボス部２１ａに固定されていて、この支持軸２８に嵌合された軸受部材３１，３２が、固定片２４ｂの上下に配置されている。
【００２４】
更に、固定片２４ｂは、支持軸２８によって所定の角度範囲内に回動運動が制限されており、その回動範囲内で水平方向へ回動可能とされている。この固定片２４ｂと支持軸２８と上下の軸受部材３１，３２によって支持プレート２２の支持部２５が構成されている。
【００２５】
この支持プレート２２には、テレビ本体２に取り付けられる嵌合部材３５が着脱可能に嵌合される。嵌合部材３５は、テレビ本体２の下部ステー１１ｂに固定される本体側ブラケット３６（図９を参照）と、この本体側ブラケット３６に固定される遮蔽カバー３７とから構成されている。遮蔽カバー３７は、本体側ブラケット３６を介してテレビ本体２に取り付けた状態において、バックカバー３に設けた切欠き部１６を隙間なく閉塞できる形状とされている（図１０を参照）。この遮蔽カバー３７により、バックカバー３と協働して支持プレート２２を嵌合して保持するための嵌合空間部が形成される。
【００２６】
即ち、遮蔽カバー３７は、図６及び図８に示すように、支持プレート２２の嵌合部２３を覆うポケット部３８を有している。ポケット部３８は、支持プレート２２の軸受部２４に対向される正面部３８ａと、この正面部３８ａの両側に連続されると共に軸受部２４の軸受片２４ａとそれぞれ対向される側面部３８ｂ，３８ｂと、これらの上部に連続されて軸受部２４の上面を覆う上面部３８ｃとからなり、背面と下面に開口されている。このポケット部３８の開口部の両外側には、支持プレート２２の第２の凹部１３の内面に対向される左右の対向部４１，４１と、バックカバー３の切欠き部１６を閉じる左右の閉塞部４２，４２とがそれぞれ設けられている。
【００２７】
一対の対向部４１，４１は、ポケット部３８の背面の開口部から左右方向外側へそれぞれ展開するように設けられている。そして、それぞれの対向部４１には、支持プレート２２を本体側ブラケット３６に締め付け固定するための固定ねじ２９の軸部が挿通される２つの第１の挿通孔４１ａと、遮蔽カバー３７を本体側ブラケット３６に締め付け固定するための固定ねじ５５の軸部が挿通される２つの第２の挿通孔４１ｂとがそれぞれ設けられている。２つの第１の挿通孔４１ａと２つの第２の挿通孔４１ｂは、同種の挿通孔を結んだ線が互いに交差するようそれぞれ対角線方向に配置されている。
【００２８】
また、一対の閉塞部４２，４２は、ポケット部３８の下面の開口部から左右方向外側へそれぞれ展開するように設けられている。遮蔽カバー３７は、複数の固定ねじ５５によって本体側ブラケット３６に固定されるが、テレビ本体２にバックカバー３を装着した状態では、図１０に示すように、遮蔽カバー３７の下面部がバックカバー３の下面に設けた切欠き部１６に合致され、その切欠き部１６を隙間無く閉塞できるようになっている。
【００２９】
本体側ブラケット３６は、同じく図６及び図８に示すように、遮蔽カバー３７のポケット部３８を覆うカバー部４４と、このカバー部４４の長手方向の両端部に連続された左右の固定部４５，４５と、を有している。カバー部４４は、ポケット部３８の正面部３８ａに対向される正面部４４ａと、この正面部４４ａの両側に連続されると共にポケット部３８の側面部３８ｂとそれぞれ対向される左右の側面部４４ｂ，４４ｂとからなっている。このカバー部４４の両外側に連続する左右の固定部４５，４５には、固定ねじ２９の軸部が螺合される２つの第１のねじ孔４５ａと、固定ねじ５５の軸部が螺合される２つの第２のねじ孔４５ｂとがそれぞれ設けられている。
【００３０】
更に、本体側ブラケット３６には、カバー部４４の上端に連続されてポケット部３８の上面部３８ｃに対向される係止片４６が設けられている。係止片４６の先端部には、カバー部４４と同方向に突出する爪部４７が設けられている。スタンド４の取付時、係止片４６の爪部４７はスタンド４の支持プレート２２に側方から接触することになる。
【００３１】
また、本体側ブラケット３６のカバー部４４の上部及び左右の固定部４５，４５には、図９に示すように、本体側ブラケット３６をベースプレート１１の下部ステー１１ｂに固定するための取付片４８ａとアーム片４８ｂ，４９とがそれぞれ２つずつ設けられている。即ち、カバー部４４の上部には、正面部４４ａと略同一平面上に設定された２つの取付片４８ａと、係合片４６と同方向に延在された２つのアーム片４８ｂとが設けられている。そして、固定部４５の上部には、正面側に延在された２つのアーム片４９が設けられている。４つのアーム片４８ｂ，４９の先端部は、正面部４４ａと平行をなす平面とされていて、それらと取付片４８ａには、本体側ブラケット３６を下部ステー１１ｂに固定するための固定ねじの軸部が挿通される挿通孔５１，５２がそれぞれ設けられている。
【００３２】
このような構成を有するスタンド付プラズマディスプレイテレビ１のテレビ本体２とバックカバー３とスタンド４とは、例えば、次のようにして組み立てたり、分解したりすることができる。
【００３３】
図１及び図２は、スタンド付プラズマディスプレイテレビ１の一般的な使用状態を示すものであり、テレビ本体２の背面にはバックカバー３が取り付けられ、また、そのテレビ本体２はスタンド４に支持されている。このような形態において、一般に、プラズマディスプレイテレビ１は、家庭のリビング等に正立状態（表示面を立てた状態）で載置され、家庭の団欒等に供されている。
【００３４】
この場合、図４に示すように、テレビ本体２には嵌合部材３５が固定されていて、その嵌合部材３５にスタンド４の支持プレート２２が嵌合されている。このとき、嵌合部材３５は、複数個の固定ねじ５５で遮蔽カバー３７を本体側ブラケット３６に締付固定することによってテレビ本体２と一体的に構成されている。即ち、固定ねじ５５の軸部を遮蔽カバー３７の対向部４１に設けた第１の挿通孔４１ａに挿通し、そのねじ部を本体側ブラケット３６に設けた固定部４５の第２のねじ孔４５ｂに螺合させて締付固定する。
【００３５】
このようにして、本体側ブラケット３６に対して遮蔽カバー３７が固定ねじ５５により締付固定されていて、その遮蔽カバー３７の内側に支持プレート２２が挿入される。このとき、図５に示すように、固定ねじ５５の頭部は、支持プレート２２に設けた通し穴内に所定の隙間をもって挿通されるか、或いは支持プレート２２の内側に隠されて外から見えない状態となる。
【００３６】
この状態では、嵌合部材３５に対して支持プレート２２は、単に挿入されているだけであるため、支持プレート２２を引き抜くことによってスタンド４をテレビ本体２から簡単に分離することができる。このスタンド４をテレビ本体２に固定する場合は、図８に示すように、複数個の固定ねじ２９によって支持プレート２２を嵌合部材３５に締付固定するようにする。即ち、支持プレート２２の嵌合部２３に設けた挿通孔２３ｂに固定ねじ２９のねじ軸部を挿通し、遮蔽カバー３７の第１の挿通孔４１ａを通過させて、そのねじ軸部を本体側ブラケット３６の固定部４５に設けた第１のねじ孔４５ａに螺合させて締付固定する。これにより、図５に示すような状態となり、スタンド４がテレビ本体２に対して複数個の固定ねじ（この実施例では４個）で締付固定されて一体化される。
【００３７】
このスタンド４を有するテレビ本体２にバックカバー３を取り付けた状態が、図１及び図２に示す状態である。この図１等に示す状態から、図２に現れているバックカバー３に設けた逃げ穴１４にドライバの先端を挿通し、スタンド４とテレビ本体２を結合している複数個の固定ねじ２９を緩めて取り外すことにより、テレビ本体２からバックカバー３を取り外すことができる。このとき、４つの逃げ穴１４は、スタンド４とテレビ本体２を結合している４つの固定ねじ５５の頭部とそれぞれ対応した位置に開口されている。そのため、これらの逃げ穴１４からドライバの先端を差し込むことにより、その先端を固定ねじ２９の頭部の凹部に係合させて回動することができる。
【００３８】
そこで、スタンド４の支持プレート２２と嵌合部材３５の本体側ブラケット３６とを結合している全ての固定ねじ２９を取り外すことにより、図３に示すように、テレビ本体２にバックカバー３を取り付けた状態のままで、テレビ本体２からスタンド４を分離させることができる。この場合には、４個の固定ねじ２９を取り外すだけでスタンド４をテレビ本体２から分離させることができるため、スタンド４の分離作業を極めて簡単に、しかも迅速におこなうことができる。このような形態のテレビ本体２は、例えば、壁掛けテレビとして使用することができる。
【００３９】
一方、バックカバー３は、スタンド４とは関係なく、別個の固定ねじによってテレビ本体２に締付固定されている。そのため、スタンド４をテレビ本体２に取り付けたままの状態であっても、独自の固定ねじを取り外すことにより、図４に示すように、バックカバー３を単独でテレビ本体２から分離させることができる。この場合は、スタンド４を取り外すことなく、バックカバー３のみを取り外すだけでテレビ本体２の背面を露出させることができる。そのため、テレビ本体２の背面を開いて行う点検や修理等をスムース且つ迅速に行うことができ、この種の電子機器における作業性の向上を図ることができる。
【００４０】
また、図５等に示すように、スタンド４の支持プレート２２を嵌合部材３５の本体側ブラケット３６及び遮蔽カバー３７とバックカバー３とで形成される嵌合空間部に挿入するだけで、スタンド４をテレビ本体２に嵌合させて固定することができる。そのため、スタンド４とテレビ本体２との結合を簡単且つ確実に行うことができると共に、両者をしっかりと結合させて支持することができる。
【００４１】
しかも、図７に示すように、本体側ブラケット３６には爪部４７が設けられていて、支持プレート２２を遮蔽カバー３７のポケット部３８に挿入すると、その爪部４７が支持プレート２２に係合される。そのため、本体側ブラケット３６で支持プレート２２をしっかりと保持することができる。
【００４２】
以上説明してきたように、本願発明のスタンド付プラズマディスプレイテレビ１によれば、バックカバー３が無い状態でスタンド４をテレビ本体２に取り付けることができるため、次のような効果を得ることができる。即ち、プラズマテレビや液晶テレビでは、画面サイズが大きくなる傾向にあり、顧客の家で内部を修理するためにサイズの大きなテレビの画面を下にすることは、スペースの都合上から困難になっているが、本発明によれば、スタンド４にテレビ本体２を取り付けて立てた状態のままで、バックカバー３を外して作業を行うことができる。そのため、サービス対応時、テレビ本体２の画面を下にすることなく、テレビ内部の修理を可能とすることができる。
【００４３】
更に、プラズマディスプレイテレビ１の輸出の際に、例えば、税関が部品を現地調達することがあるが、かかる場合においても、現地の工場において、画面を下にすることなく、立てた状態（正立状態）作業を行うことができ、作業空間の小スペース化を図ることができる。更に、プラズマテレビや液晶テレビの開発時等において、バックカバーの開け閉めを正立状態で行うことが可能であるため、評価試験等において画面を下にして作業するスペースが必要なくなり、また、正立状態で様々な検討・評価が可能であるため、開発効率を高めることができる。
【００４４】
また、バックカバー３を取り付けた後に、スタンド４をテレビ本体２に取り付けることができるため、例えば、プラズマテレビや液晶テレビを輸送する際に、スタンドのみを別に梱包することで梱包サイズを減らし、輸送効率を高めることが可能である。しかも、従来のスタンド付テレビでは、バックカバーを外さないとスタンドの取付作業を行うことができなかったが、本発明によれば、スタンドのみを後から取り付けることができるため、この種の機器や装置における作業性の向上を図ることができる。
【００４５】
本発明は、前述しかつ図面に示した実施の形態に限定されるものではなく、その要旨を逸脱しない範囲内で種々の変形実施が可能である。例えば、前記実施例においては、スタンド付電子機器としてプラズマディスプレイテレビを適用した例について説明したが、液晶ディスプレイテレビ、プロジェクタ、スピーカ装置、その他のスタンドを用いる各種の電子機器に適用できるものである。
【図面の簡単な説明】
【００４６】
【図１】本発明のスタンド付電子機器の一実施例を示すプラズマディスプレイテレビを正面側から見た斜視図である。
【図２】図１に示すプラズマディスプレイテレビを正面側から見た斜視図である。
【図３】図１に示すプラズマディスプレイテレビの電子機器本体からスタンドを取り外した状態を背面側から見た斜視図である。
【図４】図１に示すプラズマディスプレイテレビの電子機器本体からバックカバーを取り外した状態を背面側から見た斜視図である。
【図５】図３に示すスタンドの取付プレートに嵌合部材を取り付けたスタンドの斜視図である。
【図６】図５に示すスタンドの取付プレートから嵌合部材を分離したスタンドの説明図である。
【図７】図５に示すスタンドの一部を断面した説明図である。
【図８】図５に示すスタンドの取付プレートと嵌合部材とバックプレートの要部を示す説明図である。
【図９】電子機器本体のフレームに本体側フレームを取り付けた状態を示す説明図である。
【図１０】バックプレートと嵌合部材で係合スペース部を形成した説明図である。
【符号の説明】
【００４７】
１…プラズマディスプレイテレビ（スタンド付電子機器）、  ２…テレビ本体（電子機器本体）、  ４…スタンド、  ５…プラズマディスプレイ組立体、  １１…ベースプレート、  １１ｂ…下部ステー、  １３…第２の凹部、  １４…逃げ穴、  １６…切欠き部、  ２２…支持プレート、  ２３…嵌合部、  ２４…軸受部、  ２５…支持部、  ２９…固定ねじ、  ３５…嵌合部材、  ３６…本体側ブラケット、  ３７…遮蔽カバー、  ４６…係合片、  ４７…爪部、  ５５…固定ねじ
【図１】
2007074569.tif 000003
【図２】
2007074569.tif 000004
【図３】
2007074569.tif 000005
【図４】
2007074569.tif 000006
【図５】
2007074569.tif 000007
【図６】
2007074569.tif 000008
【図７】
2007074569.tif 000009
【図８】
2007074569.tif 000010
【図９】
2007074569.tif 000011
【図１０】
2007074569.tif 000012